(57)【要約】【課題】一部の領域において空調負荷の変動が生じた場合であっても、店舗全体の安定した快適空間の形成を実現することができる空気調和装置を提供することを目的とする。【解決手段】この目的を達成するため、本件発明の空気調和装置は、店舗内の被空調空間を空気調和するものであって、当該店舗内の異なる複数の領域にそれぞれ設けられた温度検出手段及び／又は湿度検出手段と、各検出手段が接続された制御手段とを備え、当該制御手段は、当該各温度検出手段及び／又は湿度検出手段により検出された値の差に基づいて、空調能力を制御する。【選択図】図１
2017180990.tif 000002
【特許請求の範囲】
【請求項１】
店舗内の被空調空間を空気調和する空気調和装置において、
当該店舗内の異なる複数の領域にそれぞれ設けられた温度検出手段及び／又は湿度検出手段と、各検出手段が接続された制御手段とを備え、
当該制御手段は、当該各温度検出手段及び／又は湿度検出手段により検出された温度及び／又は湿度の差に基づいて、空調能力を制御することを特徴とする空気調和装置。
【請求項２】
前記温度検出手段及び／又は湿度検出手段は、少なくとも、前記店舗内において空調負荷に影響を及ぼす空調負荷源の周辺に位置する空調高負荷領域と、当該空調高負荷領域よりも空調負荷の影響が低い空調低負荷領域に配置された請求項１に記載の空気調和装置。
【請求項３】
前記空調高負荷領域は、前記店舗の出入口の周辺領域、又は、排熱機器の周辺領域、若しくは、外部と前記店舗内とを区画する透光性の壁面に面した領域である請求項２に記載の空気調和装置。
【請求項４】
前記空調低負荷領域は、前記店舗の出入口から最も離間した店舗内領域である請求項２又は請求項３に記載の空気調和装置。
【請求項５】
前記店舗内には、オープンショーケースが設けられ、
前記制御手段は、当該オープンショーケースを制御するショーケース側制御手段と連携して、空調能力の制御に伴い、当該オープンショーケースの冷却運転を制御する請求項１から請求項４のいずれかに記載の空気調和装置。
【発明の詳細な説明】
【技術分野】
【０００１】
本発明は、例えばコンビニエンスストア等の店舗に設置される空気調和装置に関する。
【背景技術】
【０００２】
従来より、コンビニエンスストア等の店舗には、複数台のショーケースが据え付けられ、当該店舗内の温度は、店舗内の天井などに吊り下げられた空気調和装置によって調整されている。一般に、空気調和装置は、店舗内において、温度変化が少ない、出入口付近から最も離れた領域に温度検出手段としての温度センサを配置し、当該温度センサの検出温度に基づいて制御される。しかし、来店状況によって、出入口に設けられた扉の開閉頻度が多くなり、扉付近の店舗内温度が設定温度から大きく離れてしまったとしても、店舗奥部の温度が変化するまでに多くの時間を要するため、扉付近の効果的な空調を実現することができない問題がある。また、近年では、店舗内のレジ周りなどにおいてフライヤーなどの加熱調理器を用いた総菜等の調理や保温が行われている。当該加熱調理器を使用すると、当該レジ周り付近の温度が上昇し、快適な空調環境を形成することができなくなる。更に、コンビニエンスストア等は、店舗正面に位置する壁面がガラス張りであることが多く、当該ガラス張りを介した日照条件によって店舗内の一部の領域の温度が変化し、快適な空調環境を形成できなくなる。そこで、従来では、例えば、特許文献１に示す空気調和システムや特許文献２に示す天井埋込式室内機が開発されている。
【０００３】
特許文献１は、積極的に空調を行う領域としてのタスク領域の空調に関する快適性を維持しつつ、換気による空調負荷を抑制し、エネルギー消費量の削減を図ることを目的とする空気調和システムが開示されている。具体的に、特許文献１の空気調和システムは、被空調空間に設置される複数の空調機と、前記被空調空間内の湿度及び空気質の少なくとも一方、並びに、温度を検出するフロア環境検出手段と、前記複数の空調機及び前記複数の換気手段の運転を制御する集中コントローラーとを備え、前記集中コントローラーは、前記複数の空調機及び前記複数の換気手段の設置位置の情報が記憶される機器情報管理部と、前記被空調空間を複数の小ゾーンに区分して、各小ゾーンがタスク領域であるか否かを識別するフロア情報管理部と、前記タスク領域に対する設定温度及び設定空気質の少なくとも一方、並びに、設定温度の情報が記憶されるフロア環境設定部と、前記フロア環境検出手段の検出値に基づき、少なくともタスク領域である小ゾーンの湿度及び空気質の少なくとも一方、並びに、設定温度との差が小さくなるように、前記空調機及び前記換気手段の運転を設置位置に応じて制御する運転制御部とを有している。
【０００４】
また、特許文献２は、設置される室内の形態やレイアウトに応じて、室内の温度・気流分布を設定できて、電気料金の低減及び快適性の向上を図ることを目的とする天井埋込式室内機が開示されている。具体的に、特許文献２の天井埋込式室内機は、温熱源と冷熱源とを有する室内に配置されるものであって、天井に埋設されるケーシングを備えるとともに、このケーシングに、上記各熱源側に向けて空気を吹き出すための複数個の吹出口を設けて、各熱源に応じた吹出口の風量分配を行っている。
【先行技術文献】
【特許文献】
【０００５】
【特許文献１】特開２０１０−２５５９００号公報
【特許文献２】特開２００２−９８３９７号公報
【発明の概要】
【発明が解決しようとする課題】
【０００６】
しかしながら、特許文献１の空気調和システムは、各小ゾーン毎にフロア環境検出手段が設けられているものの、タスク領域を中心としてそれぞれのゾーン毎に設定温度との差が小さくなるように、空調機や換気手段の運転を制御していたため、タスク領域以外の小ゾーンが設定温度とかけ離れていたとしても、当該小ゾーンの積極的な空調は行われないこととなる。よって、店舗全体としてみたときに現在の状況に即した空調制御が実現できているとはいえなかった。
【０００７】
また、特許文献２の天井埋込式室内機についても、各ゾーンに配置された負荷検知センサからの検出データに基づき各ゾーン毎に負荷偏在パターンの日変動に応じて算出し、各ゾーンに吹き出す風量の分配を変更するものであったため、より空調負荷の大きいゾーンに対しては、空調を優先的に行うことが可能となるものの、空調負荷がより小さいゾーンが設定温度とかけ離れていたとしても、当該ゾーンの風量分配が少ないために、店舗内全体として安定した快適空間を形成することは困難であった。特に、特許文献２では、各ゾーン毎の負荷偏在パターンの日変動に応じて、空調の制御スケジュールを決定していたため、日々変動していく店舗内の実際の状況に迅速に対応することができないという問題があった。
【０００８】
以上のことから、市場からは、一部の領域において空調負荷の変動が生じた場合であっても、店舗全体の安定した快適空間の形成を実現することができる空気調和装置の開発が要望されてきた。
【課題を解決するための手段】
【０００９】
そこで、本件発明者等は、鋭意研究の結果、店舗内における一部の領域おいて生じた温度変化に応じて空調能力の制御を行うことにより、店舗全体の安定した快適空間の形成を可能とする空気調和装置を提供するに至った。
【００１０】
すなわち、本発明に係る空気調和装置は、店舗内の被空調空間を空気調和するものであって、当該店舗内の異なる複数の領域にそれぞれ設けられた温度検出手段及び／又は湿度検出手段と、各検出手段が接続された制御手段とを備え、当該制御手段は、当該各温度検出手段及び／又は湿度検出手段により検出された温度及び又は湿度の差に基づいて、空調能力を制御することを特徴とする。
【００１１】
本件発明に係る空気調和装置は、前記温度検出手段及び／又は湿度検出手段が、少なくとも、前記店舗内において空調負荷に影響を及ぼす空調負荷源の周辺に位置する空調高負荷領域と、当該空調高負荷領域よりも空調負荷の影響が低い空調低負荷領域に配置されることが好ましい。
【００１２】
また、本件発明に係る空気調和装置は、前記空調高負荷領域が、前記店舗の出入口の周辺領域、排熱機器の周辺領域、若しくは、外部と前記店舗内とを区画する透光性の壁面に面した領域であることが好ましい。
【００１３】
さらに、本件発明に係る空気調和装置は、前記空調低負荷領域３、前記店舗の出入口から最も離間した店舗内領域であることが好ましい。
【００１４】
また、本件発明に係る空気調和装置はに、前記店舗内には、オープンショーケースが設けられ、前記制御手段が、当該オープンショーケースを制御するショーケース側制御手段と連携して、空調能力の制御に伴い、当該オープンショーケースの冷却運転を制御することが好ましい。
【発明の効果】
【００１５】
本発明に係る空気調和装置によれば、店舗内の異なる複数の領域にそれぞれ設けられた温度検出手段及び／又は湿度検出手段と、各検出手段が接続された制御手段とを備え、当該制御手段は、当該各温度検出手段及び／又は湿度検出手段により検出された温度及び／又は湿度の差に基づいて、空調能力を制御することにより、店舗内の一部の領域における空調負荷の変動を把握して、店舗内の各領域の実際の状況に応じた空調能力の制御が可能となる。よって、扉の開放状況や排熱機器の使用状況、日照条件などの空調負荷に即した空調制御が可能となり、店舗全体の安定した快適空間の形成を実現することができる。
【図面の簡単な説明】
【００１６】
【図１】本発明の空気調和装置を適用した一実施の形態としての店舗内の概略レイアウト図である。
【図２】図１の店舗内に配置された空気調和装置及び各ショーケースの構成概略説明図である。
【図３】図１の空気調和装置及び各ショーケースの制御ブロック図である。
【発明を実施するための形態】
【００１７】
以下、本発明に係る実施の形態としての空気調和装置について図面を参照して説明する。図１は本発明の空気調和装置を適用した一実施の形態としての店舗２内の概略レイアウト図、図２は図１の店舗２内に配置された空気調和装置１及び各ショーケースＳ１〜Ｓ７の概略構成説明図を示している。
【００１８】
本件発明に係る空気調和装置１は、コンビニエンスストア等の店舗２等に配置されて、当該店舗２内（被空調空間）の空気調和を行うものである。本件発明において、店舗２は、コンビニエンスストアに限定されるものではないが、本実施の形態では、スーパーマーケット等の大型店舗よりも小規模であるコンビニエンスストアを例に挙げて説明する。当該空気調和装置１は、室内機４と、室外機５と、店舗２内の異なる複数の各領域にそれぞれ配置された温度検出手段としての温度センサ３５及び湿度検出手段としての湿度センサ３６と、これら温度センサ３５、湿度センサ３６が接続された制御手段としての集中管理装置３と空調側制御装置６とを備えている。当該空調側制御装置６は、これら温度センサ３５及び／又は湿度センサ３６により検出された温度及び／又は湿度に基づいて室内機４及び室外機５の運転を制御する。なお、具体的な制御については後述する。
【００１９】
室内機４は、店舗２内の天井等に吊り下げられて設けられており、少なくとも利用側熱交換器１０と、減圧手段としての膨張弁１１と、当該利用側熱交換器１０と熱交換した調整空気を図示しない吹出口から店舗内に吐出する空調用送風機１２（図３のみ図示する）を備えている。当該室内機４は、例えば矩形状を呈しており、各辺に対応して吹出口が形成されており、四方向に向けて調整空気を吹出可能としてもよい。また、各吹出口には風向調整用のフラップ１３（図３のみ図示する）が設けられ、風向を調整可能としてもよい。
【００２０】
室外機５は、屋外等の店舗外に設置されており、少なくとも圧縮機１４と、熱源側熱交換器１５と、熱源側送風機１６等を備えている。室内機４に設けられた利用側熱交換器１０や膨張弁１１は、室外機５に設けられた圧縮機１４や、熱源側熱交換器１５等と共に、冷媒配管１７によって接続されて、周知の冷媒回路を構成する。本実施の形態では、図１に示すように店舗内に２台の室内機４Ａ、４Ｂが配置され、屋外に１台の室外機５が配置されている。具体的には、２台の室内機４Ａ、４Ｂは、被調和空間となる店舗２内の片側に偏って配置されることなく、所定の間隔をおいて配置されていることが好ましい。なお、本件発明において、室内機４及び室外機５の数はこれに限定されるものではなく、１台であっても、複数台であってもよい。
【００２１】
当該店舗２内には、複数台のショーケースＳ１〜Ｓ７が配置されている。当該ショーケースＳ１〜Ｓ７は、内部に形成される陳列室２０内の温度帯によって、冷蔵ショーケースと冷凍ショーケース、さらには温蔵ショーケースに分けられる。また、１つの陳列室２０内に２温度帯を形成する多温度帯ショーケースもある。各温度帯は、陳列室２０内に収容される商品に応じて任意に変更することができる。冷蔵ショーケースの設定温度は、例えば、＋３℃〜＋２２℃（例えば、チルド温度帯は＋３℃〜＋７℃、弁等等の温度帯は＋１８℃〜＋２２℃）に設定されている。この冷蔵ショーケースには、陳列室の前面が開口されて当該前面開口にエアーカーテンを形成するオープンショーケースや、陳列室の前面が透明なガラス扉にて開閉自在に閉塞されたリーチインショーケースやウォークインショーケースなどがあり、これらに限定されない。ウォークインショーケースは、陳列室の後方に貯蔵室を備えており、店舗内の壁面に沿って配置される。冷凍ショーケースの設定温度は、例えば−２２℃〜−１８℃に設定されている。この冷凍ショーケースには、陳列室の上面が開口した平型ショーケースや上述したリーチインショーケース、ウォークインショーケースなどがあり、これらに限定されない。図１の実施の形態では、ショーケースＳ１〜Ｓ５をオープンショーケース、Ｓ６、Ｓ７を冷蔵のウォークインショーケースとする。
【００２２】
各ショーケースＳ１〜Ｓ７は、それぞれ蒸発器２１や膨張弁２２等の減圧手段を備えている。また、当該蒸発器２１の近傍には、当該蒸発器２１と熱交換した冷気を陳列室２０内に供給する冷気循環用送風機２３も備えている。各ショーケースＳ１〜Ｓ７に配置された膨張弁２２と蒸発器２１の直列回路は、相互に並列に接続されて、冷媒配管２４を介して圧縮機２５や放熱器２６を備えた冷凍機７に接続されて周知の冷媒回路を構成している。
【００２３】
各ショーケースＳ１〜Ｓ７及び冷凍機７により構成される冷媒回路内には、所定の冷媒が封入されている。よって、冷凍機７の圧縮機２５が運転されると、圧縮機２５により圧縮された高温高圧の冷媒は放熱器２６に流入し、放熱器用送風機２７により空冷される。放熱した冷媒は各ショーケースＳ１〜Ｓ７の膨張弁２２で減圧された後、各蒸発器２１に流入して蒸発する。これにより、蒸発器２１は冷却作用を発揮し、当該蒸発器２１と熱交換した冷気は、冷気循環用送風機２３により陳列室２０内に循環され、各ショーケースＳ１〜Ｓ７の陳列室２０内は所定の温度に冷却される。そして、各ショーケースＳ１〜Ｓ７の各蒸発器２１で冷却作用を発揮した冷媒は、再び冷凍機７の圧縮機２５に吸い込まれる循環を繰り返す。
【００２４】
各ショーケースと共に冷媒回路を構成する冷凍機７は、一台であっても二台以上の複数台であってもよい。複数の冷凍機７を接続して、各ショーケースの冷却運転を行う場合には、例えば、各ショーケースを当該ショーケースの陳列室の温度帯に応じてグルーピングを行い、各グループ毎に対応するように冷凍機を接続してもよい。例えば、本実施の形態では、各オープンショーケースＳ１〜Ｓ５は冷凍機７Ａに接続され、各ウォークインショーケースＳ６及びＳ７は、冷凍機７Ｂに接続されている。ただし、本件発明においてショーケースの台数及び冷凍機の台数には特に制限はない。
【００２５】
本実施の形態において、当該店舗２内には、上述したショーケースＳ１〜Ｓ７以外にも、商品の精算を行うレジ３０が配置されたレジカウンター３１や、冷却を必要としない食品や日用品などを陳列する非冷却の陳列棚３３、上述したショーケースＳ１〜Ｓ７とは別に、冷凍機を内蔵したショーケース（内蔵型ショーケース）３４が配置されている。さらには、ホットスナックなどを加熱調理するための加熱機器としてのフライヤー３２などを配置してもよい。図１には、これらのショーケースＳ１〜Ｓ７、レジカウンター３１、非冷却の陳列棚３３、内蔵型ショーケース３４、フライヤー３２などの店舗内レイアウトの一例を示している。本実施の形態では、店舗２の正面一側に扉８が設けられた出入口９を配置し、当該出入口９が配置された店舗２の一面を光を透過するガラス張りの壁面（透光性の壁面）２Ａにて外部と区画している。そして、店舗２内の出入口９側にレジカウンター３１を設け、当該レジカウンター３１の奥方に加熱調理器具としてのフライヤー３２を配置している。また、出入口９が設けられる店舗２の一面と対向する面には、弁当やおにぎり、日配品、飲料などの冷蔵温度帯の商品が陳列されたオープンショーケースＳ１〜Ｓ５が複数、配設されている。また、レジカウンター３１が設けられる店舗２内の一面と対向する面には、冷蔵のウォークインショーケースＳ６、Ｓ７などが複数配置されている。また、レジカウンター３１とオープンショーケースＳ１の近傍には、内蔵型ショーケース３４が店舗２壁面から離間した位置に独立して配置されている。なお、本件発明は、当該店舗２内のレイアウトに限定されるものではなく、任意に変更可能である。
【００２６】
当該店舗２内は、空調負荷に影響を及ぼす空調負荷源の存在によって、各領域に分けられる。本実施の形態では、空調負荷に影響を及ぼす空調負荷源としては、扉８が開放されることにより外気の侵入が生じる店舗出入口９や、外光が侵入する透光性の壁面２Ａなどがある。また、フライヤー３２等の加熱調理器や、内蔵型ショーケース３４等の排熱機器も空調負荷源となる。よって、出入口９周辺の領域Ａと、フライヤー３２や内蔵型ショーケース３４の周辺の領域Ｂ、透光性壁面２Ａに面した領域Ｃは、店舗２内において空調負荷に影響を及ぼす空調負荷源の周辺に位置する空調高負荷領域となる。一方、店舗２の出入口９から最も離間した店舗内奥部の領域Ｄは、外気流入や、加熱機器の使用による影響、日照条件により影響が生じにくいオープンショーケースＳ４、Ｓ５とウォークインショーケースＳ６により囲まれた領域であり、空調高負荷領域よりも空調負荷の影響が低い空調低負荷領域となる。
【００２７】
図１に示す店舗２内レイアウトにおいて、領域Ｂは、レジカウンター３１とオープンショーケースＳ１、内蔵型ショーケース３４等により囲まれており、レジカウンター３１後方のフライヤー３２からの空調負荷の影響以外にも、オープンショーケースＳ１等の除霜運転や、内蔵型ショーケース３４の機械室から排出される熱によっても、空調負荷の影響を受ける。
【００２８】
本件発明において、温度センサ３５及び湿度センサ３６は、これら領域Ａ〜領域Ｄのように、異なる環境となる領域毎にそれぞれ配置される。本実施の形態では、領域Ａには、温度センサ３５Ａと湿度センサ３６Ａが配置され、領域Ｂには、温度センサ３５Ｂと湿度センサ３６Ｂが配置される。そして、領域Ｃには、温度センサ３５Ｃと湿度センサ３６Ｃが配置され、領域Ｄには、温度センサ３５Ｄと湿度センサ３６Ｄが配置される。よって、空調高負荷領域に配設される温度センサ及び湿度センサは、温度センサ３５Ａ〜３５Ｃと、湿度センサ３６Ａ〜３６Ｃとなる。そして、空調低負荷領域に配設される温度センサ及び湿度センサは、温度センサ３５Ｄと湿度センサ３６Ｄとなる。ただし、本件発明において、当該温度センサ３５及び湿度センサ３６の設置位置は、当該位置に限定されるものではなく、任意に配置してもよい。
【００２９】
そして、上述した空気調和装置３を構成する一方の室内機４Ａは、領域Ａ及び領域Ｂにわたって配設されており、当該領域Ａ、領域Ｂを含む四方向の空調を行う。他方の室内機４Ｂは、領域Ｃ及び領域Ｄにわたって配設されており、該領域Ｃ、領域Ｄを含む四方向のの空調を行う。
【００３０】
次に、図３の制御ブロック図を参照して本実施の形態に係る空気調和装置の制御について説明する。本実施の形態において、空気調和装置１は、当該空気調和装置１のみならず、上述した各ショーケースＳ１〜Ｓ７についても統合して管理する集中管理装置３により制御される。
【００３１】
具体的には、当該集中管理装置３は、空気調和装置１の空調側制御装置６としての室内機側制御装置４１と、室外機側制御装置４２と、各ショーケースＳ１〜Ｓ７のショーケース側制御装置Ｃ１〜Ｃ７と、冷凍機側制御装置５１とが、通信線又は無線により接続されており、各制御装置４１、４２、Ｃ１〜Ｃ７、５１は、それぞれ集中管理装置３と相互に情報の授受が行われる。また、この集中管理装置３には、上述した各領域に配設された温度センサ３５Ａ〜３５Ｄと、湿度センサ３６Ａ〜３６Ｄが接続されている。更に、この集中管理装置３には、設定温度や、各種機器の設定を行うための管理側コントロールパネル４０を備えていてもよい。よって、集中管理装置３は、室内機側制御装置４１や室外機側制御装置４２、各ショーケース側制御装置Ｃ１〜Ｃ７、冷凍機側制御装置５１を介して室内機４、室外機５、各ショーケースＳ１〜Ｓ７、冷凍機７の各種機器の制御を行う。
【００３２】
集中管理装置３、室内機側制御装置４１、室外機側制御装置４２、ショーケース側制御装置Ｃ１〜Ｃ７、冷凍機側制御装置５１は、いずれも汎用のマイクロコンピュータにより構成されている。それぞれの制御装置に記憶手段としてのメモリや、時限手段としてのタイマを内蔵していてもよいが、本実施の形態では、少なくとも集中管理装置３がメモリ３７及びタイマ３８を内蔵している。
【００３３】
空調側制御装置６としての室内機側制御装置４１は、当該室内機４に設けられる膨張弁１１と、空調用送風機１２と、風向調整用フラップ１３とが接続されている。当該室内機側制御装置４１は、室内機４側において店舗２内の設定温度を入力可能とする空調側コントロールパネル（空調側入力手段）４３が接続されていてもよい。よって、少なくとも膨張弁１１と、空調用送風機１２と、風向調整用フラップ１３は、管理側コントロールパネル４０又は空調側コントロールパネル４３により設定された店舗内設定温度に基づいて、当該室内機側制御装置４１を介して集中管理装置３により制御される。
【００３４】
空調側制御装置６としての室外機側制御装置４２は、少なくとも当該室外機５に設けられる圧縮機１４と、熱源側熱交換器用送風機１６等が接続されている。よって、当該圧縮機１４や熱源側熱交換器用送風機１６等は、当該室外機側制御装置４２を介して集中管理装置３により制御される。
【００３５】
各ショーケースＳ１〜Ｓ７に設けられるショーケース側制御装置Ｃ１〜Ｃ７は、少なくとも当該ショーケースの陳列室内温度を検出する陳列室内温度センサ（陳列室内温度検出手段）４５と、当該ショーケースが備える膨張弁２２と、冷気循環用送風機２３とが接続されている。当該ショーケース側制御装置は、陳列室２０内の設定温度を入力可能とするショーケース側コントロールパネル（ショーケース側入力手段）４４が接続されていてもよい。よって、各ショーケースに設けられた膨張弁２２及び冷気循環用送風機２３は、管理側コントロールパネル４０又はショーケース側コントロールパネル４４により設定された店舗内設定温度に基づいて、各ショーケース側制御装置Ｃ１〜Ｃ７を介して集中管理装置３により制御される。
【００３６】
冷凍機側制御装置５１は、少なくとも当該冷凍機７に設けられる圧縮機２５及び放熱器用送風機２７が接続されている。また、この冷凍機側制御装置５１には、冷媒回路の低圧側圧力を検出する低圧側圧力センサ（低圧側圧力検出手段）５２が接続されている。よって、各冷凍機７に設けられた圧縮機２５及び放熱器用送風機２７は、それぞれの冷凍機側制御装置５１を介して集中管理装置３により制御される。
【００３７】
なお、本実施の形態では、集中管理装置３を介して室内機側制御装置４１や室外機側制御装置４２等の空調側制御装置６と、ショーケース側制御装置Ｃ１〜Ｃ７と、冷凍機側制御装置５１を制御しているが、本願発明はこれに限定されるものではない。例えば、室内機側制御装置４１と室外機側制御装置４２を制御する空調側制御装置を別途設けて、当該空調側制御装置に各温度センサ及び湿度センサを接続し、ショーケース側制御装置Ｃ１〜Ｃ７と通信可能に接続することで、当該空調側制御装置が各ショーケース側制御装置と連携して、室内機４や室外機５の各機器を制御してもよい。
【００３８】
次に、本願発明における空気調和装置１を含む店舗２全体の制御について説明する。まず初めに、基本制御について説明し、その後、店舗２内の各領域Ａ〜Ｄに配設された温度センサ３５Ａ〜３５Ｄ及び／又は湿度センサ３６Ａ〜３６Ｄにより検出された値の差に基づく補正制御について説明する。
【００３９】
（１）基本制御
集中管理装置３は、室内機側制御装置４１を介して店舗２内の領域Ａ及び領域Ｂを含む四方向の空調を行う室内機４Ａの制御を、当該領域Ａに設けられた温度センサ３５Ａ及び／又は領域Ｂに設けられた温度センサ３５Ｂにより検出された温度に基づいて行う。集中管理装置３は、温度センサ３５Ａと温度センサ３５Ｂの両者の検出温度の平均値と店舗内設定温度に基づいて、室内機４Ａの各機器の制御を行ってもよいが、温度センサ３５Ａ又は温度センサ３５Ｂの一方の検出温度に基づいて、室内機４Ａの運転制御を行ってもよい。本実施の形態では、温度センサ３５Ａが設けられる領域Ａは、扉８の開閉により出入口９から侵入する外気の影響によって、温度が変化し易いため、より温度変化が小さい、店舗２の奥部に配置された領域Ｂに設けられる温度センサ３５Ｂにより検出された温度に基づいて、室内機４Ａの運転制御を行うことが好ましい。若しくは、温度センサ３５Ａにより検出された温度と又は温度センサ３５Ｂにより検出された温度のうち、より店舗内設定温度との差が大きい方の検出温度を用いて室内機４Ａの運転制御を行ってもよい。これにより、より積極的な空調を行うことができる。
【００４０】
また、集中管理装置３は、室内機側制御装置４１を介して店舗２内の領域Ｃ及び領域Ｄを含む四方向の空調を行う室内機４Ｂの制御を、当該領域Ｃに設けられた温度センサ３５Ｃ及び／又は領域Ｄに設けられた温度センサ３５Ｄにより検出された温度に基づいて行う。集中管理装置３は、温度センサ３５Ｃと温度センサ３５Ｄの両者の検出温度の平均値と店舗内設定温度に基づいて、室内機４Ｂの各機器の制御を行ってもよいが、温度センサ３５Ｃ又は温度センサ３５Ｄの一方の検出温度に基づいて、室内機４Ｂの運転制御を行ってもよい。本実施の形態では、温度センサ３５Ｃが設けられる領域Ｃは、透光性の壁面２Ａを介した日射の条件により温度が変化し易いため、より温度変化が小さい、店舗２の奥部に配置された領域Ｄに設けられる温度センサ３５Ｄにより検出された温度に基づいて、室内機４Ｂの運転制御を行うことが好ましい。若しくは、温度センサ３５Ｃにより検出された温度と又は温度センサ３５Ｄにより検出された温度のうち、より店舗内設定温度との差が大きい方の検出温度を用いて室内機４Ｂの運転制御を行ってもよい。これにより、より積極的な空調を行うことができる。
【００４１】
ここでは、当該室内機４Ａ及び４Ｂの制御において、温度センサにより検出された店舗内温度に基づいて、運転制御を行う場合について説明しているが、これに限定されるものではなく、集中管理装置３は、各領域に設けられた湿度センサ３６により検出された湿度に基づいて、温度等同様に、当該店舗２内が所定の設定湿度となるように室内機４Ａ又は４Ｂの各機器の制御を行ってもよい。当該湿度に基づく制御は、主に店舗２内の除湿を目的としても行ってもよく、温度に基づく制御に対して、所定の高湿度条件を満たした場合に、当該湿度に基づく制御を補正パラメータとして用い、店舗２内が設定温度及び設定湿度となるように制御してもよい。
【００４２】
そして、集中管理装置３は、各室内機側制御装置４１を介した室内機４Ａ及び４Ｂの各種機器の制御に伴い、室外機側制御装置４２を介して当該室外機５の圧縮機１４の運転周波数の制御等を行う。これにより、各領域Ａ〜Ｄを含む店舗２内の全体の温度は、店舗内設定温度や設定湿度に空調される。
【００４３】
また、集中管理装置３は、各ショーケース側制御装置Ｃ１〜Ｃ７と連携して、各ショーケースＳ１〜Ｓ７に配設された陳列室内温度センサ４５の検出温度に基づき、当該陳列室内温度が、予め、管理側コントロールパネル４０又はショーケース側コントロールパネル４４の入力等により設定した陳列室内設定温度となるように、各ショーケースの冷却運転を制御する。具体的には、集中管理装置３は、各ショーケース側制御装置Ｃ１〜Ｃ７を介して、それぞれの膨張弁２２の開度制御や、冷気循環用送風機２３の制御を行う。
【００４４】
この際、集中管理装置３は、店舗内の各領域Ａ〜Ｄに配置された温度センサ３５Ａ〜３５Ｄに基づいて、各オープンショーケースＳ１〜Ｓ５と冷媒回路を構成する冷凍機７Ａの低圧側圧力の補正を行う。具体的には、当該領域Ａに配設された温度センサ３５Ａと、当該領域Ｄに配設された温度センサ３５Ｄの両者の検出温度の平均値に基づき、当該平均値が店舗内設定温度よりも所定温度以上高い場合には、低圧側圧力センサ５２により検出される領域Ａ及び領域Ｄに配置されるオープンショーケースＳ１〜Ｓ５と冷媒回路を構成する冷凍機７Ａの目標低圧側圧力が所定圧力低くなる方向に圧縮機２５及び放熱器用送風機２７の運転を制御する。これにより、圧縮機２５の運転能力が上昇し、各オープンショーケースＳ１〜Ｓ５の前面開口から漏出する冷気によって、店舗２内の領域Ａ及び領域Ｄの補助冷却が可能となり、特に冷房運転時における各室内機４Ａ及び４Ｂに加わる空調負荷を軽減することができる。よって、空気調和装置１側の空調能力が不足している場合であっても、オープンショーケースＳ１〜Ｓ５の補助冷却を利用することで、店舗２内全体を迅速に所定の設定温度に調整することが可能となる。
【００４５】
他方、当該領域Ａに配設された温度センサ３５Ａと、当該領域Ｄに配設された温度センサ３５Ｄの両者の検出温度の平均値に基づき、当該平均値が店舗内設定温度よりも所定温度以上低い場合には、低圧側圧力センサ５２により検出される領域Ａ及び領域Ｄに配置されるオープンショーケースＳ１〜Ｓ５と冷媒回路を構成する冷凍機７Ａの目標低圧側圧力が所定圧力高くなる方向に圧縮機２５及び放熱器用送風機２７の運転を制御する。これにより、各オープンショーケースＳ１〜Ｓ５の前面開口から漏出する冷気量を軽減することによって、特に暖房運転時において各室内機４Ａ及び４Ｂに加わる空調負荷を軽減することができる。よって、空気調和装置１側の空調能力が不足している場合であっても、オープンショーケースＳ１〜Ｓ５からの冷気漏出量を軽減することで、店舗２内全体を迅速に所定の設定温度に調整することが可能となる。
【００４６】
なお、ここでは、領域Ａ及び領域Ｄに配設されるオープンショーケースＳ１〜Ｓ５について、店舗内の温度を検出する温度センサ３５Ａ及び３５Ｄにより検出された値に基づいた冷媒回路の目標低圧側圧力の補正制御について説明しているが、本願発明はこれに限定されるものではない。例えば、領域Ｃ及び領域Ｄにわたって配設されるウォークインショーケースＳ６、Ｓ７についても同様に、店舗２内の当該領域Ｃ及び領域Ｄの温度を検出する温度センサ３５Ｃ及び３５Ｄにより検出された値に基づいて、各ショーケースの冷媒回路の目標低圧側圧力の補正制御を行ってもよい。
【００４７】
（２）温湿度差補正制御
集中管理装置３は、店舗２内の領域Ａ〜領域Ｄのそれぞれに配設された温度センサ３５Ａ〜３５Ｄ及び／又は湿度センサ３６Ａ〜３６Ｄに基づいて、店舗２内の所定の領域における状況の変化を判断し、室内機４Ａ及び室内機４Ｂの温湿度差補正制御を行う。以下に、状況変化の態様毎に温湿度差補正制御を説明する。
【００４８】
（２−１）扉開放補正制御
集中管理装置３は、店舗２内において最も温度変化が小さい領域である領域Ｄに配設された温度センサ３５Ｄと、扉８が開放されて外気導入により店舗２内の温度変化が生じる領域Ａに配設された温度センサ３５Ａの検出温度の差に基づいて、扉開放状況による外気侵入の影響を判断する。具体的には、集中管理装置３は、当該温度センサ３５Ａと温度センサ３５Ｄの検出温度の差が所定値以上である外気侵入しきい値を超えた場合、店舗２内の温度に影響を及ぼす程度に扉８の開放があったものと判断する。この際、集中管理装置３は、当該温度センサ３５Ａと温度センサ３５Ｄの検出温度の差が前記外気侵入しきい値を超えた時間が所定時間以上である場合に、店舗２内の温度に影響を及ぼす程度に扉８の開放があったものと判断してもよい。
【００４９】
そして、集中管理装置３は、出入口９周辺の領域Ａに配設された温度センサ３５Ａにより検出された温度が上昇して、扉８の開放状況が多くなったものと判断した場合、当該領域Ａの空調を主に行う室内機４Ａの店舗内設定温度を所定温度下げる補正を行う。集中管理装置３は、温度センサ３５Ａと温度センサ３５Ｄの検出温度の差に基づいて、当該店舗内設定温度の下げ幅を調整してもよい。
【００５０】
集中管理装置３は、当該店舗内設定温度を所定温度下げる扉開放補正制御を行う際に、ショーケース側制御装置Ｃ１〜Ｃ５と連携して、各オープンショーケースＳ１〜Ｓ５と冷媒回路を構成する冷凍機７Ａの目標低圧側圧力が所定圧力低くなる方向に圧縮機２５及び放熱器用送風機２７の運転を制御してもよい。これにより、扉８の開放状況の増大によって、オープンショーケースＳ１〜Ｓ５の外乱の影響による陳列室内温度の上昇を早期に予測して、陳列室内温度が急激に上昇する不都合を回避することが可能となる。
【００５１】
また、集中管理装置３は、温度センサ３５Ａにより検出された温度が下降して、来店頻度が高くなったものと判断した場合、当該領域Ａの空調を主に行う室内機４Ａの店舗内設定温度を所定温度上げる補正を行う。集中管理装置３は、温度センサ３５Ａと温度センサ３５Ｄの検出温度の差に基づいて、当該店舗内設定温度の上げ幅を調整してもよい。
【００５２】
これにより、扉８の開閉によって出入口９からの外気侵入により、店舗２内の一部の領域（領域Ａ）の空調負荷に変動が生じた場合であっても、格別に扉８の開閉センサ等を設けることなく、各温度センサにより検出される温度の差に基づいて、扉８の開閉を検出し、空気調和装置１の室内機４Ａの空調能力を制御することができる。
【００５３】
当該室内機４Ａの来店補正制御では、温度センサ３５Ａ、３５Ｄにより検出された店舗内温度に基づいて、運転制御を行う場合について説明しているが、これに限定されるものではなく、集中管理装置３は、領域Ａ及び領域Ｄに設けられた湿度センサ３６Ａ、３６Ｄにより検出された湿度に基づいて、温度等同様に、当該店舗２内が所定の店舗内設定湿度となるように、当該設定湿度の補正を行ってもよい。
【００５４】
（２−２）排熱補正制御
集中管理装置３は、店舗２内において最も温度変化が小さい領域である領域Ｄに配設された温度センサ３５Ｄと、フライヤー３２の使用による加熱調理や、内蔵型ショーケース３４の運転状況により店舗２内の温度変化が生じる領域Ｂに配設された温度センサ３５Ｂの検出温度の差に基づいて、排熱状況を判断する。具体的には、集中管理装置３は、所定の短時間、例えば、１分〜５分における、当該温度センサ３５Ｂと温度センサ３５Ｄの検出温度の差が所定値以上となる排熱過多しきい値を超えた場合、店舗２内の温度に影響を及ぼす程度にフライヤー３２の使用や内蔵型ショーケースの運転状況が発生したものと判断する。この際、集中管理装置３は、短時間で急激に、当該温度センサ３５Ｂと温度センサ３５Ｄの検出温度の差が前記排熱過多しきい値を超えた時点から、所定時間以上が経過した場合には、店舗２内の温度に影響を及ぼす程度に排熱量が多くなったものと判断してもよい。
【００５５】
そして、集中管理装置３は、フライヤー３２周辺や内蔵型ショーケース３４周辺である領域Ｂに配設された温度センサ３５Ｂにより検出された温度が急激に上昇して、排熱量が多くなったと判断した場合、当該領域Ｂの空調を主に行う室内機４Ａの店舗内設定温度を所定温度下げる補正を行う。集中管理装置３は、温度センサ３５Ｂと温度センサ３５Ｄの検出温度の差に基づいて、当該店舗内設定温度の下げ幅を調整してもよい。
【００５６】
これにより、フライヤー３２の使用や内蔵型ショーケース３４の運転状況により、店舗２内の一部の領域（領域Ｂ）の空調負荷に変動が生じた場合であっても、集中管理装置３は、フライヤー３２の使用状況や内蔵型ショーケース３４の運転状況を直接フライヤー３２や内蔵型ショーケース３４から把握することなく、各温度センサにより検出される温度の差に基づいて、フライヤー３２の使用や内蔵型ショーケースの運転状況を検出し、空気調和装置１の室内機４Ａの空調能力を制御することができる。
【００５７】
当該室内機４Ａの排熱補正制御では、温度センサ３５Ｂ、３５Ｄにより検出された店舗内温度に基づいて、運転制御を行う場合について説明しているが、これに限定されるものではなく、集中管理装置３は、領域Ｂ及び領域Ｄに設けられた湿度センサ３６Ｂ、３６Ｄにより検出された湿度に基づいて、温度等同様に、当該店舗２内が所定の店舗内設定湿度となるように、当該設定湿度の補正を行ってもよい。フライヤー３２を用いた加熱調理は、水蒸気の発生が多いため、湿度の検出に基づく補正制御は、特に有効となる。
【００５８】
また、集中管理装置３は、当該店舗内設定温度を所定温度下げる排熱補正制御を行う際に、ショーケース側制御装置Ｃ１〜Ｃ５と連携して、各オープンショーケースＳ１〜Ｓ５と冷媒回路を構成する冷凍機７Ａの目標低圧側圧力が所定圧力低くなる方向に圧縮機２５及び放熱器用送風機２７の運転を制御してもよい。これにより、当該オープンショーケースＳ１〜Ｓ５の前面開口から漏出する冷気により、フライヤー３２や内蔵型ショーケース３４等によって温度が上昇する領域Ｂの補助冷却が可能となる。特に冷房運転時における各室内機４Ａに加わる空調負荷を軽減することができる。よって、空気調和装置１側の空調能力が不足している場合であっても、オープンショーケースＳ１〜Ｓ５の補助冷却を利用することで、店舗２内全体を迅速に所定の設定温度に調整することが可能となる。
【００５９】
（２−３）ショーケースの除霜運転補正制御
集中管理装置３は、店舗２内において最も温度変化が小さい領域である領域Ｄに配設された温度センサ３５Ｄと、オープンショーケースＳ１〜Ｓ５の除霜運転により店舗２内の温度変化が生じる領域Ｂに配設された温度センサ３５Ｂの検出温度の差に基づいて、オープンショーケースＳ１〜Ｓ５の除霜運転の有無を判断する。具体的には、オープンショーケースＳ１〜Ｓ５が除霜運転を行うと、各ショーケースの前面開口から漏出する冷気量が低減し、当該ショーケースによる店舗の補助冷却作用が低下する。そして、当該オープンショーケースＳ１〜Ｓ５の周辺温度は、徐々に上昇する傾向となる。そこで、集中管理装置３は、所定の長時間、例えば、５分〜３０分における、当該温度センサ３５Ｂと温度センサ３５Ｄの検出温度の差が所定値以上となる除霜運転しきい値を超えた場合、店舗２内の温度に影響を及ぼす程度にオープンショーケースＳ１〜Ｓ５からの補助冷却作用が弱まったものと判断する。
【００６０】
そして、集中管理装置３は、オープンショーケースＳ１〜Ｓ５周辺の領域Ｂに配設された温度センサ３５Ｂにより検出された温度が徐々に上昇して、除霜運転が行われたことにより、オープンショーケースからの補助冷却作用が弱まったものと判断した場合、当該領域Ｂの空調を主に行う室内機４Ａの店舗内設定温度を所定温度下げる補正を行う。集中管理装置３は、温度センサ３５Ｂと温度センサ３５Ｄの検出温度の差に基づいて、当該店舗内設定温度の下げ幅を調整してもよい。当該店舗内設定温度の下げ幅は、上述した排熱補正制御の場合と比べて、小さいことが好ましい。
【００６１】
これにより、オープンショーケースＳ１〜Ｓ５の除霜運転により、店舗２内の一部の領域（領域Ｂ）の空調負荷に変動が生じた場合に、集中管理装置３は、各温度センサにより検出される温度の差に基づいて、オープンショーケースの除霜運転による実際の店舗内温度の影響を検出して、空気調和装置１の室内機４Ａの空調能力を制御することができる。よって、オープンショーケースＳ１〜Ｓ５の除霜運転に際して過剰に空気調和装置１の空調制御を補正することなく、実際の店舗内の状況に応じて空気調和装置１の空調能力を制御することができるため、店舗全体の安定した快適空間の形成が可能となる。
【００６２】
当該室内機４Ａのショーケースの除霜運転補正制御では、温度センサ３５Ｂ、３５Ｄにより検出された店舗内温度に基づいて、運転制御を行う場合について説明しているが、これに限定されるものではなく、集中管理装置３は、領域Ｂ及び領域Ｄに設けられた湿度センサ３６Ｂ、３６Ｄにより検出された湿度に基づいて、温度等同様に、当該店舗２内が所定の店舗内設定湿度となるように、当該設定湿度の補正を行ってもよい。
【００６３】
（２−４）日照補正制御
集中管理装置３は、店舗２内において最も温度変化が小さい領域である領域Ｄに配設された温度センサ３５Ｄと、日照の条件によって、透光性の壁面２Ａから外光が差し込み店舗２内の温度変化が生じる領域Ｃに配設された温度センサ３５Ｃの検出温度の差に基づいて、日照による影響を判断する。具体的には、集中管理装置３は、当該温度センサ３５Ｃと温度センサ３５Ｄの検出温度の差が所定値以上である日照しきい値を超えた場合、店舗２内の温度に影響を及ぼす程度に透光性の壁面２Ａから外光が差し込まれたものと判断する。この際、集中管理装置３は、当該温度センサ３５Ｃと温度センサ３５Ｄの検出温度の差が前記日照しきい値を超えた時間が所定時間以上である場合に、店舗２内の温度に影響を及ぼす程度に外光が差し込まれたものと判断してもよい。
【００６４】
そして、集中管理装置３は、透光性の壁面２Ａに面した領域Ｃに配設された温度センサ３５Ｃにより検出された温度が上昇して、外光侵入による影響が大きくなったものと判断した場合、当該領域Ｃの空調を主に行う室内機４Ｂの店舗内設定温度を所定温度下げる補正を行う。集中管理装置３は、温度センサ３５Ｃと温度センサ３５Ｄの検出温度の差に基づいて、当該店舗内設定温度の下げ幅を調整してもよい。ここでは、日照状況を把握する際に、領域Ｄに設けられた温度センサ３５Ｄの検出温度を用いているが、これ以外にも、上述した来店補正が行われていない状況では、領域Ａに設けられた温度センサ３５Ａの検出温度や、加熱調理補正又はショーケースの除霜運転補正が行われていない状況では、領域Ｂに設けられた温度センサ３５Ｂの検出温度を用いて外光侵入による影響を判断してもよい。
【００６５】
これにより、透光性の壁面２Ａからの外光侵入により、当該透光性の壁面２Ａに面した店舗２内の一部の領域（領域Ｃ）の店舗２内の一部の領域（領域Ａ）の空調負荷に変動が生じた場合であっても、格別に照度センサ等を設けることなく、各温度センサにより検出される温度の差に基づいて、日照による影響を判断し、空気調和装置１の室内機４Ｂの空調能力を制御することができる。
【００６６】
当該室内機４Ｂの日照補正制御では、温度センサ３５により検出された店舗内温度に基づいて、運転制御を行う場合について説明しているが、これに限定されるものではなく、集中管理装置３は、湿度センサ３６により検出された湿度に基づいて、温度等同様に、当該店舗２内が所定の店舗内設定湿度となるように、当該設定湿度の補正を行ってもよい。
【００６７】
また、本実施の形態では、日照補正制御を行うに際し、店舗２内に複数設けられた温度センサ３５及び湿度センサ３６の検出温度や検出湿度に基づいて空気調和装置１の空調能力の制御を行っているが、本件発明は、これに限定されるものではない。例えば、屋外に外気温度センサを設け、当該外気温度と、日照の影響がある領域Ｃに配設された温度センサ３５Ｃとの検出温度との差異に基づいて、空気調和装置１の空調能力の補正を行ってもよい。具体的には、透光性の壁面２Ａからの外光侵入により、店舗２内の領域Ｃの空調負荷に変動が生じる場合には、外気温度と当該温度センサ３５Ｃの検出温度との差異が小さくなる。よって、外気温度と温度センサ３５Ｃの検出温度との差が所定のしきい値以下となった場合には、日照による影響が大きくなったものと判断し、空気調和装置１の室内機４Ｂの空調能力を制御してもよい。
【００６８】
（３）学習機能
本実施の形態において、集中管理装置３は、メモリ３７に各温度センサ３５Ａ〜３５Ｄ、湿度センサ３６Ａ〜３６Ｄにより検出された温度データ及び湿度データの推移を記憶している。また、集中管理装置３は、メモリ３７に上述した補正制御の有無も記憶している。よって、集中管理装置３は、メモリ３７に記憶された日内の各領域Ａ〜領域Ｄの温度変化及び補正制御の履歴に基づいて、当該時刻となった場合に、各温度センサ３５Ａ〜３５Ｄ、湿度センサ３６Ａ〜３６Ｄの検出を待つことなく、各補正制御を実行し、室内機４Ａ及び又は４Ｂの店舗内設定温度、及び、各ショーケースＳ１〜Ｓ７の陳列室内設定温度を変更してもよい。この際、集中管理装置３は、カレンダー機能を備え、当該カレンダー機能に基づいて、季節や曜日等の状況に応じて、店舗内設定温度や、陳列室内設定温度を変更してもよい。さらに、集中管理装置３は、ネットワークを介して例えば気象庁などの外部のサイトに接続して、当該店舗２の位置情報に応じた気象データを取得可能としてもよい。これにより、集中管理装置３は、当該気象データを参照して日照補正制御に反映させてもよい。
【００６９】
（４）センサの故障検出
本実施の形態において、集中管理装置３は、店舗２内に配設された複数の温度センサ３５Ａ〜３５Ｄ、若しくは、湿度センサ３６Ａ〜３６Ｄのうち、１つのセンサのみが多のセンサが検出する値と比べて長時間、大きく異なる場合には、当該センサの故障と判断して警報動作を行う。これにより、複数設けられたセンサ同士の検出値に基づいて、自らの故障を判別することが可能となり、故障に対する早急な対応が可能となる。
【００７０】
以上、述べてきたように、本件発明によれば、店舗２内の異なる複数の領域にそれぞれ設けられた温度センサ３５Ａ〜３５Ｄ及び／又は湿度センサ３６Ａ〜３６Ｄと、各センサが接続された集中管理装置３（空調制御装置６）とを備え、当該集中管理装置３（空調制御装置６）は、各温度センサ３５Ａ〜３５Ｄ及び／又は湿度センサ３６Ａ〜３６Ｄにより検出された温度及び／又は湿度の差に基づいて、空気調和装置１の空調能力を制御することにより、店舗２内の一部の領域における空調負荷の変動を把握して、店舗２内の各領域の実際の状況に応じた空調能力の制御が可能となる。よって、扉８の開放状況やフライヤー３２等の加熱機器の使用状況、日照条件などの空調負荷に即した空調制御が可能となり、店舗２全体の安定した快適空間の形成を実現することができる。
【産業上の利用可能性】
【００７１】
本発明にかかる空気調和装置は、扉の開閉による外気侵入や、加熱調理器の使用、日照条件の変動等により、局所的に空調負荷の影響を受けやすいコンビニエンスストア等の店舗において特に有効に用いることができる。
【符号の説明】
【００７２】
１    空気調和装置
２    店舗
２Ａ  透光性の壁面
Ｓ１〜Ｓ７  ショーケース
Ｃ１〜Ｃ７  ショーケース側制御装置
３    集中管理装置
４（４Ａ、４Ｂ）  室内機
５    室外機
６    空調側制御装置（制御手段）
７    冷凍機
８    扉
９    出入口
１０    利用側熱交換器
１１    膨張弁（減圧手段）
１２    空調用送風機
１３    風向調整用フラップ
１４    圧縮機
１５    熱源側熱交換器
１６    熱源側送風機
１７    冷媒配管
２０    陳列室
２１    蒸発器
２２    膨張弁（減圧手段）
２３    冷気循環用送風機
２４    冷媒配管
２５    圧縮機
２６    放熱器
２７    放熱器用送風機
３０    レジ
３１    レジカウンター
３２    フライヤー（排熱機器）
３３    陳列棚
３４    内蔵型ショーケース（排熱機器）
３５（３５Ａ〜３５Ｄ）  温度センサ（温度検出手段）
３６（３６Ａ〜３６Ｄ）  湿度センサ（湿度検出手段
３７    メモリ（記憶手段）
３８    タイマ（時限手段）
４０    管理側コントロールパネル（管理側入力手段）
４１    室内機側制御装置（空調側制御装置）
４２    室外機側制御装置（空調側制御装置）
４３    空調側コントロールパネル（空調側入力手段）
４４    ショーケース側コントロールパネル（ショーケース側入力手段）
４５    陳列室内温度センサ（陳列室内温度検出手段）
５１    冷凍機側制御装置
５２    低圧側圧力センサ（低圧側圧力検出手段）
【図１】
2017180990.tif 000003
【図２】
2017180990.tif 000004
【図３】
2017180990.tif 000005